(57)【要約】  洗剤組成物、より具体的には、衣類の洗浄に好適な非イオン性界面活性剤を含む低ｐＨ洗剤組成物と、その製造方法及び使用方法に関する。【特許請求の範囲】
【請求項１】
液体洗濯洗剤組成物であって、
該組成物の重量に対して２％〜２０％の界面活性剤系を含み、
ここにおいて該界面活性剤系は：
１０未満のＨＬＢを有する第１非イオン性界面活性剤（Ａ）と、
１０を超えるＨＬＢを有する第２非イオン性界面活性剤（Ｂ）と、
ここにおいてＡ：Ｂの重量比は、１：１００〜４０：１００であり、好ましくは１５：１００〜２５：１００であり、
アニオン性界面活性剤と、を含み、
ここにおいて該組成物は、１．５〜６．９、好ましくは１．５〜６．５、
より好ましくは２〜４の未希釈ｐＨを有し、
かつここにおいて、該組成物が、２０ｓ−１、２１．１℃で測定されたとき、約２００ｃｐｓ〜約３０００ｃｐｓ、好ましくは２００ｃｐｓ〜１５００ｃｐｓの粘度を有する、組成物。
【請求項２】
前記第１非イオン性界面活性剤（Ａ）が、Ｃ１２，１３  ＥＯ１；Ｃ１２，１３  ＥＯ１．５；Ｃ１２，１３  ＥＯ２；Ｃ１２，１３  ＥＯ３；及びこれらの混合物からなる群から選択される、請求項１に記載の組成物。
【請求項３】
前記第１非イオン性界面活性剤（Ａ）が、Ｃ１２，１３  ＥＯ２；Ｃ１２，１３  ＥＯ３；及びこれらの混合物からなる群から選択される、請求項１〜２のいずれか一項に記載の組成物。
【請求項４】
前記第２非イオン性界面活性剤（Ｂ）が、Ｃ９，１１  ＥＯ５；Ｃ１１，１６  ＥＯ７；Ｃ１２，１３  ＥＯ５；Ｃ１２，１３  ＥＯ６．５；Ｃ１２，１３  ＥＯ８；Ｃ１２，１３  ＥＯ９；Ｃ１２，１４  ＥＯ７；Ｃ１２，１４  ＥＯ８；Ｃ１２，１４  ＥＯ９；Ｃ１４，１５  ＥＯ５；Ｃ１４，１５  ＥＯ７；Ｃ１４，１５  ＥＯ８；Ｃ１１  ＥＯ９；Ｃ１２，１４  ＥＯ９；Ｃ１２，１５  ＥＯ７；Ｃ１２，１５  ＥＯ１０；Ｃ１４，１５  ＥＯ８；Ｃ１４，１５  ＥＯ９；Ｃ１４，１８  ＥＯ９；Ｃ１０  ＥＯ３；Ｃ１０  ＥＯ６；Ｃ１２  ＥＯ３；Ｃ１２  ＥＯ６；Ｃ１２  ＥＯ９；及びこれらの混合物からなる群から選択される、請求項１〜３のいずれか一項に記載の組成物。
【請求項５】
前記第２非イオン性界面活性剤（Ｂ）が、Ｃ１１，１６  ＥＯ７；Ｃ１４，１５  ＥＯ７；Ｃ１２，１４  ＥＯ７；Ｃ１２，１４  ＥＯ９；及びこれらの混合物からなる群から選択される、請求項４に記載の組成物。
【請求項６】
前記組成物が有機溶媒を更に含む、請求項１〜５のいずれか一項に記載の組成物。
【請求項７】
前記組成物が、好ましくは該組成物の重量に対して５％〜１５％の量の有機酸を更に含む、請求項１〜６のいずれか一項に記載の組成物。
【請求項８】
前記有機酸が、クエン酸、乳酸、酢酸、及びこれらの混合物からなる群から選択される、請求項７に記載の組成物。
【請求項９】
前記組成物が、該組成物の重量に対して０．５％未満のハロゲン化物イオンを含む、請求項１〜８のいずれか一項に記載の組成物。
【請求項１０】
前記組成物が、該組成物の重量に対して１％未満のアルカノールアミンを含む、請求項１〜９のいずれか一項に記載の組成物。
【請求項１１】
前記組成物が、少なくとも約６０％の水を含む、請求項１〜１０のいずれか一項に記載の組成物。
【請求項１２】
アニオン性界面活性剤と非イオン性界面活性剤との比が、１：１００〜１：１、好ましくは４０：１００〜７５：１００である、請求項１〜１１のいずれか一項に記載の組成物。
【請求項１３】
表面を処理するための方法であって、請求項１〜１２のいずれか一項の記載の組成物を、該表面に接触させる工程を含む、方法。
【請求項１４】
液体洗濯洗剤組成物であって、
該組成物の重量に対して２％〜２０％の界面活性剤系を含み、
ここにおいて該界面活性剤系は：
１０未満のＨＬＢを有する第１非イオン性界面活性剤（Ａ）と、
１０を超えるＨＬＢを有する第２非イオン性界面活性剤（Ｂ）と、
ここにおいてＡ：Ｂの重量比は、１：１００〜４０：１００であり、
アニオン性界面活性剤と、を含む界面活性剤系であり、
該組成物の重量に対して５％〜１５％の有機酸を含み、ここにおいて
該有機酸が６個を超える炭素原子を含み、
６０％〜９０％の水を含み、
ここにおいて該組成物が、２〜４の未希釈ｐＨを有し、
かつここにおいて、該組成物が、２０ｓ−１、２１．１℃で測定されたとき、約２００ｃｐｓ〜約１２００ｃｐｓの粘度を有する、組成物。
【発明の詳細な説明】
【技術分野】
【０００１】
本開示は、概して洗剤組成物に関するものであり、より具体的には、衣類の洗浄に好適な非イオン性界面活性剤を含む低ｐＨ洗剤組成物と、その製造方法及び使用方法に関する。
【背景技術】
【０００２】
洗濯に使用される従来型洗剤は典型的に高ｐＨ（すなわち、７より上）で配合される。これは、高ｐＨにより、従来型のビルダー及び界面活性剤の使用が可能になるからである。しかしながら、特定の酸性洗剤（すなわち、ｐＨが７未満）は、布地からの残留物除去の改善、及びこれに伴う白さの改善、漂白可能なシミ除去の改善、及び自己保存性の利点などの利点を提供し得る。
【０００３】
そのような洗剤が望ましい粘度を有することが、製剤者と消費者の双方にとって望ましい。組成物の粘度が高すぎると、加工又は使用が困難になることがある。また組成物の粘度が低すぎると、消費者にとって洗浄力又は価値の欠如を示唆することがある。望ましい粘度を得るために、多くの洗剤、特に高レベル（例えば、６０％超）の水を含む洗剤では、増粘剤の使用が必要となる。例えば、製剤者は、塩化ナトリウム又は蟻酸ナトリウムなどの塩を添加して、低粘度の組成物にとろみをつけることができる。
【０００４】
しかしながら、そのような増粘剤は、問題をもたらし得る。例えば、塩などの特定の増粘剤は、製造プラントに一般的に使用される金属（例えば３１６ステンレス鋼）に対して低ｐＨで腐食性効果を有することがある。増粘剤は「塩析出」などの安定性の問題を生じることがある。増粘剤により構築可能な粘度には、限度があり得る。そしてもちろん、増粘剤を使用することにより組成物に余分の費用が加わる。
【発明の概要】
【発明が解決しようとする課題】
【０００５】
よって、水分量が多く、低ｐＨの洗剤組成物にとろみをつけるための、有効かつ低コストの解決策に対するニーズが存在する。驚くべきことに、高ＨＬＢと低ＨＬＢの非イオン性界面活性剤を、水分量が多く低ｐＨの洗剤組成物に混合することで、増粘剤を使用することなしに、望ましい粘度の組成物が得られることが発見されている。
【課題を解決するための手段】
【０００６】
本開示は、いくつかの態様において、液体洗剤組成物を提供することにより、１つ又は２つ以上のニーズを解決しようとするものであり、この液体洗剤組成物は：本組成物の重量に対して約２％〜約２０％の界面活性剤系を含み、この界面活性剤系は：約１０未満のＨＬＢを有する第１非イオン性界面活性剤（Ａ）と、約１０を超えるＨＬＢを有する第２非イオン性界面活性剤（Ｂ）と（ここにおいてＡ：Ｂの重量比は、約１：１００〜約４０：１００であり）、アニオン性界面活性剤と、を含み、ここにおいて、本組成物は約１．５〜約６．９の未希釈ｐＨを有し、かつここにおいて、本組成物は、２０ｓ−１、２１．１℃で測定されたとき、約２００ｃｐｓ〜約３０００ｃｐｓの粘度を有する。
【０００７】
本開示は更に、次のものを含む液体洗剤組成物を提供する：本組成物の重量に対して約２％〜約２０％の界面活性剤系を含み、この界面活性剤系は：約１０未満のＨＬＢを有する第１非イオン性界面活性剤（Ａ）と、約１０を超えるＨＬＢを有する第２非イオン性界面活性剤（Ｂ）と（ここにおいてＡ：Ｂの重量比は、約１：１００〜約４０：１００であり）、アニオン性界面活性剤と、本組成物の重量に対して約５％〜約１５％の有機酸と（ここにおいて、この有機酸は６個以下の炭素原子を含み）、約６０％〜約９０％の水と、を含み、ここにおいて、本組成物は約２〜約４の未希釈ｐＨを有し、かつここにおいて、本組成物は、２０ｓ−１、２１．１℃で測定されたとき、約２００ｃｐｓ〜約１２００ｃｐｓの粘度を有する。
【０００８】
別の態様において、本開示は、本明細書に記載される組成物に表面を接触させる工程を含む、表面の処理方法を提供する。
【発明を実施するための形態】
【０００９】
本明細書で使用するとき、請求項で使用される場合の冠詞「ａ」及び「ａｎ」は、請求又は記載されているもののうちの１つ以上を意味すると理解される。
【００１０】
本明細書で使用するとき、用語「包含する（include）」、「包含する（includes）」及び「包含している（including）」は、限定することを意図しない。
【００１１】
本発明の組成物は、本開示の成分を含み、それらから本質的になり、又はそれらからなることができる。
【００１２】
本明細書では、用語「実質的に含まない（substantially free of）」又は「実質的に含まない（substantially free from）」が使用され得る。これは、指示される物質が最小限の量であり、組成物の一部を形成するように意図的に組成物に添加されない、又は、好ましくは、分析的に検出可能な濃度で存在しないことを意味する。示された材料が、意図的に含まれる別の材料の１つ中に不純物としてのみ存在する組成物を含むことを意味する。
【００１３】
別途記載のない限り、成分又は組成物の濃度は全て、当該成分又は組成物の活性部分に関するものであり、このような成分又は組成物の市販の供給源に存在し得る不純物、例えば、残留溶媒又は副生成物は除外される。
【００１４】
本明細書の全体を通じて与えられるすべての最大数値限定は、それよりも小さい数値限定を、そのようなより小さい数値限定があたかも本明細書に明示的に記載されているかのように包含するものと理解すべきである。本明細書全体を通じて与えられるすすべての最小数値限定は、それよりも高い数値限定を、そのようなより高い数値限定があたかも本明細書に明示的に記載されているかのように包含する。本明細書全体を通じて与えられるすべての数値範囲は、このようなより広い数値範囲内のすべてのより狭い数値範囲、そのようなより狭い数値範囲があたかも本明細書に明示的に記載されているかのように含む。
【００１５】
液体洗濯組成物
本明細書で開示される組成物は、非イオン性界面活性剤を含む低ｐＨ液体洗濯洗剤組成物である。本組成物は典型的に、非イオン性界面活性剤の混合物を含む。高ＨＬＢ（親水性−親油性バランス）非イオン性界面活性剤と低ＨＬＢ非イオン性界面活性剤との混合物が、ミセル形成により粘度を構築すると考えられる。ミセルは、水との接触を回避するよう配列する（これによって表面積対体積の比を最小限に抑える）界面活性剤の疎水性尾部と、互いに忌避し合う（これによって表面積対体積比を最大化する）親水性頭部基とにより生じる構造的配列である。いくつかの態様において、本組成物の非イオン性混合物は、ワーム状ミセルの形成をもたらすと考えられ、これは、高剪断下での粘度の低下と、剪断により生じる複屈折とによって証明される。粘度は、界面活性剤の選択により構築されるため、いくつかの態様において、本明細書に記述される組成物は、塩などの増粘剤の添加を必要としない。
【００１６】
本発明の洗剤組成物は、液状、ゲル状、又はペースト状であってよい。本組成物は典型的に液体である。いくつかの態様において、本組成物は、本組成物重量に対して、約５０％〜約９５％、又は約６０％〜約９０％、又は約６５％〜約８１％の水を含む。本組成物は、少なくとも５０％、又は少なくとも６０％、又は少なくとも７０％、又は少なくとも７５％、又は少なくとも８０％、又は少なくとも８５％の水を含み得る。
【００１７】
いくつかの態様において、本組成物は単位用量形態であり、すなわち、水溶性フィルム又はパウチ内に組成物が封入されている。この水溶性フィルム又はパウチは、ポリビニルアルコール、ポリ酢酸ビニル、又はこれらの混合物を含み得る。いくつかの態様において、この単位用量形態は少なくとも２つのコンパートメント、又は少なくとも３つのコンパートメントを含む。いくつかの態様において、少なくとも１つのコンパートメントが、別のコンパートメントの上に重なり合っていてよい。
【００１８】
本開示の組成物は２２℃で等方性であり得る。本明細書で使用するとき、「等方性」は、染料及び／又は乳白剤がない状態で、Ｂｅｃｋｍａｎ  ＤＵ分光光度計を用い、標準的な１０ｍｍ光路長キュベットにより測定された、５７０ｎｍの波長にて５０％を超える透過率（％）を有する、透明な混合物を意味する。
【００１９】
本明細書に記載の液体洗浄組成物の成分、並びにその調製及び使用は、以降に更に詳細に記載される。
【００２０】
界面活性剤系
本明細書に記述される洗剤組成物は、洗剤組成物の重量に対して、約２％〜約２０％、又は約９％〜約２０％、又は約５％〜約１５％、又は約７％〜約１２％の界面活性剤系を含む。
【００２１】
この界面活性剤系には、非イオン性界面活性剤、アニオン性界面活性剤、両性界面活性剤、双極性界面活性剤、カチオン性界面活性剤、又はこれらの混合物から選択される洗浄性界面活性剤が含まれ得る。いくつかの態様において、この界面活性剤系は、非イオン性界面活性剤、アニオン性界面活性剤、又はこれらの混合物を含む。いくつかの態様において、この界面活性剤系は、非イオン性界面活性剤とアニオン性界面活性剤からなっており、例えば、２つの非イオン性界面活性剤と１つのアニオン性界面活性剤の配合物からなる。本組成物は、双極性界面活性剤を実質的に含まなくともよい。当業者であれば、洗浄性界面活性剤は、洗濯プロセス中に、洗浄、染み除去、又はその他の洗濯効果を布地にもたらす、任意の界面活性剤又は界面活性剤混合物を包含することを理解するであろう。
【００２２】
非イオン性界面活性剤
本組成物の界面活性剤系は、非イオン性界面活性剤を含む。この界面活性剤系は、第１界面活性剤（Ａ）及び第２非イオン性界面活性剤（Ｂ）を含み得る。いくつかの態様において、この界面活性剤系は２つ以下の非イオン性界面活性剤を含む。第１界面活性剤と第２非イオン性界面活性剤との重量比（Ａ：Ｂ）は、約１：１００〜約４０：１００、又は約１０：１００〜約３０：１００、又は約１５：１００〜約２５：１００であり得る。
【００２３】
いくつかの態様において、洗剤組成物は、洗剤組成物の重量に対して、約１％〜約１２％、又は約２％〜約１０％、又は約４％〜約８％の非イオン性界面活性剤を含む。
【００２４】
本明細書で有用な好適な非イオン性界面活性剤は、典型的に洗剤製品で使用される従来の非イオン性界面活性剤の任意のものを含む。これらとしては、例えば、アルコキシル化脂肪族アルコール及びアミンオキシド界面活性剤が挙げられる。一般に、本明細書で使用される非イオン性界面活性剤は液体である。
【００２５】
この非イオン性界面活性剤は、エトキシル化非イオン性界面活性剤であってよい。この材料は、米国特許第４，２８５，８４１号（Ｂａｒｒａｔら、１９８１年８月２５日）に記述されている。一態様において、非イオン性界面活性剤は、式Ｒ（ＯＣ２Ｈ４）ｎ  ＯＨのエトキシル化アルコール及びエトキシル化アルキルフェノールから選択され、式中、Ｒは、約８〜約１８個の炭素原子を含有する脂肪族炭化水素ラジカル及びアルキル基が約８〜約１２個の炭素原子を含有するアルキルフェニルラジカルからなる群から選択され、ｎの平均値は、約５〜約１５である。この界面活性剤は、米国特許第４，２８４，５３２号（Ｌｅｉｋｈｉｍら、１９８１年８月１８日）により詳しく記述されている。一態様において、非イオン性界面活性剤は、アルコール中に平均で約１０個〜約１６個の炭素原子、及び１モルのアルコールあたり約１〜約１２モルのエチレンオキシドの平均エトキシル化度を有するエトキシル化アルコール（別名：脂肪族アルコールエトキシレート）から選択される。
【００２６】
脂肪族アルコールエトキシレートを命名する簡潔な方法は、アルキル鎖の炭素の数と、エトキシ（ＥＯ）基の平均数で示すことである。例えば、アルキル鎖に１２〜１４個の炭素原子をもち、エトキシル基が平均９個である脂肪族アルコールエトキシレートは、「Ｃ１２，１４  ＥＯ９」と表記することができる。この命名法が、本出願に使用される。
【００２７】
いくつかの態様において、非イオン性界面活性剤はＣ１２〜Ｃ１８アルキルエトキシレートを含む。一態様において、Ｃ１２〜Ｃ１８アルキルエトキシレートは、Ｃ１２，１４  ＥＯ９；Ｃ１２，１４  ＥＯ７；Ｃ１２，１５  ＥＯ３；及びこれらの混合物からなる群から選択される。いくつかの態様において、Ｃ１２〜Ｃ１８アルキルエトキシレートは、Ｃ１２，１４  ＥＯ７及びＣ１２，１５  ＥＯ３であり、またいくつかの態様において、Ｃ１２，１４  ＥＯ７とＣ１２，１５  ＥＯ３とのモル比は約２：１である。
【００２８】
本明細書で有用な非イオン性界面活性剤の別の好適な種類は、アミンオキシドである。アミンオキシドは、当該技術分野では多くの場合に「半極性」非イオン性物質と呼ばれる物質である。アミンオキシド類は次の式を有し得る：Ｒ（ＥＯ）ｘ（ＰＯ）ｙ（ＢＯ）ｚＮ（Ｏ）（ＣＨ２Ｒ’）２．ｑＨ２Ｏ。この式において、Ｒは、飽和又は不飽和、直鎖又は分枝鎖であり得る比較的長鎖のヒドロカルビル部分であり、８個〜２０個、一実施形態では１０個〜１６個の炭素原子を含有してよく、あるいはＣ１２〜Ｃ１６第一アルキルである。Ｒ’は短鎖部分であり、水素、メチル、及び−ＣＨ２ＯＨから選択されてよい。ｘ＋ｙ＋ｚが０ではない場合、ＥＯはエチレンオキシであり、ＰＯはプロピレンオキシであり、ＢＯはブチレンオキシである。アミンオキシド界面活性剤類は、Ｃ１２〜１４アルキルジメチルアミンオキシドで非限定的に示される。いくつかの態様において、界面活性剤系は、半極性非イオン性界面活性剤、又はアミンオキシドを実質的に含まない。
【００２９】
本明細書で有用な非イオン性界面活性剤の更なる非限定例としては以下が挙げられる：ａ）Ｃ１２〜Ｃ１８アルキルエトキシレート、例えば、ＮＥＯＤＯＬ（登録商標）非イオン性界面活性剤（Ｓｈｅｌｌから販売）；ｂ）Ｃ６〜Ｃ１２アルキルフェノールアルコキシレート（ここにおいてアルコキシレート単位はエチレンオキシ単位とプロピレンオキシ単位の混合物）；ｃ）Ｃ１２〜Ｃ１８アルコール及びエチレンオキシド／プロピレンオキシドブロックコポリマーとのＣ６〜Ｃ１２アルキルフェノール縮合物（例えばＢＡＳＦから販売されるＰｌｕｒｏｎｉｃ（登録商標））；ｄ）米国特許第４，５６５，６４７号（Ｌｌｅｎａｄｏ、１９８６年１月２６日）に記述されるアルキル多糖類；特に、米国特許第４，４８３，７８０号及び同第４，４８３，７７９号に記述されるアルキルポリグリコシド；ｅ）米国特許第５，３３２，５２８号、国際公開特許ＷＯ  ９２／０６１６２号、同ＷＯ  ９３／１９１４６号、同ＷＯ  ９３／１９０３８号、及び同ＷＯ  ９４／０９０９９号に記述されるポリヒドロキシ脂肪酸アミド；並びにｆ）米国特許第６，４８２，９９４号及び国際公開特許ＷＯ  ０１／４２４０８号に記述されるエーテル末端保護ポリ（オキシアルキル化）アルコール界面活性剤。
【００３０】
非イオン性界面活性剤は、界面活性分子の親水性部分と疎水性部分の間のバランスにより分類することができる。Ｇｒｉｆｆｉｎにより１９４９年に考案された親水性−親油性バランス（ＨＬＢ）尺度は、界面活性剤の性質を特徴付けるために使用される、０〜２０の尺度（２０が親水性）である。界面活性剤のＨＬＢは、次のように計算することができる。
【００３１】
【数１】
2016520698.tif 000002
式中、Ｍｈは分子の親水性部分の分子質量、Ｍは分子全体の分子質量であり、尺度が０〜２０の結果を得る。ＨＬＢ値が０の場合は完全な親油性／疎水性分子に対応し、値が２０の場合は完全な親水性／疎油性分子に対応する。Ｇｒｉｆｆｉｎ，Ｗ．Ｃ．Ｃａｌｃｕｌａｔｉｏｎ  ｏｆ  ＨＬＢ  ｖａｌｕｅｓ  ｏｆ  Ｎｏｎｉｏｎｉｃ  Ｓｕｒｆａｃｔａｎｔｓ，Ｊ．Ｓｏｃ．Ｃｏｓｍｅｔ．Ｃｈｅｍ．１９５４，５，２４９〜２５６を参照されたい。一般に使用される界面活性剤についてのＨＬＢ値は、文献から容易に入手可能である（例えば、ＭｃＣｕｔｃｈｅｏｎ’ｓ  Ｅｍｕｌｓｉｆｉｅｒｓ  ａｎｄ  Ｄｅｔｅｒｇｅｎｔｓ，ＭＣ  Ｐｕｂｌｉｓｈｉｎｇ  Ｃｏ．，２００４の中のＨＬＢ指標）。界面活性剤混合物のＨＬＢ値は、界面活性剤のＨＬＢ値の加重平均として計算することができる。
【００３２】
典型的な非イオン性アルコールエトキシレート界面活性剤は、下記の式を有する。
Ｈ３Ｃ−（ＣＨ２）ｍ−（Ｏ−ＣＨ２−ＣＨ２）ｎ−ＯＨ
【００３３】
式の（Ｈ３Ｃ−（ＣＨ２）ｍ）部分は疎水性部分であり、（（Ｏ−ＣＨ２−ＣＨ２）ｎ−ＯＨ）部分は親水性部分である。疎水性ＣＨ３−（ＣＨ２）ｍ部分のモル質量（Ｍｐ）は、式１５＋（ｍ）＊１４を使って計算され、式中、ｍ＝平均鎖長−１である。親水性部分のモル質量（Ｍｈ）は、ｎ＊４４＋１７で計算され、式中、ｎはエトキシル基（ＥＯ）の数である。
【００３４】
下記の表１は、代表的な非イオン性界面活性剤とそれぞれ対応するＨＬＢ値の非限定的なリストである。ＨＬＢ値は、上述の式を用いて計算されている。市販されている非イオン性界面活性剤は典型的に、ある分布のアルコール鎖長を含む。材料仕様に別途記載がない限り、そのモル質量を概算するために、平均鎖長を使用する。
【００３５】
【表１】
2016520698.tif 000003
【００３６】
Ｃ１２，１３  ＥＯ３（ＨＬＢ＝９．１７）の計算例で、平均１２〜１３個の炭素（平均＝１２．５）を有する疎水性部分と、３つのエトキシル基を有する親水性部分とを含むアルコールエトキシレートは、下記のように示される。
（Ｍｐ）＝１５＋（１２．５−１）＊１４＝１７６
（Ｍｈ）＝３＊４４＋１７＝１４９
（Ｍ）＝Ｍｐ＋Ｍｈ＝１７６＋１４９＝３２５
ＨＬＢ＝２０＊１４９／３２５＝９．１７
【００３７】
本明細書において洗剤組成物に有用なアルコキシル化脂肪族アルコール物質は典型的に、約３〜約１７、又は約６〜約１５、又は約８〜約１５の範囲のＨＬＢ値を有する。
【００３８】
いくつかの態様において、第１非イオン性界面活性剤（Ａ）のＨＬＢ値は、約１０未満、又は約９．５未満、又は約９未満、又は約８．５未満、又は約８未満である。いくつかの態様において、第１非イオン性界面活性剤（Ａ）は、Ｃ１２，１３  ＥＯ１；Ｃ１２，１３  ＥＯ１．５；Ｃ１２，１３  ＥＯ２；Ｃ１２，１３  ＥＯ３；及びこれらの混合物からなる群から選択される脂肪族アルコールエトキシレートである。いくつかの態様において、第１非イオン性界面活性剤（Ａ）は、Ｃ１２，１３  ＥＯ２；Ｃ１２，１３  ＥＯ３；及びこれらの混合物からなる群から選択される。
【００３９】
いくつかの態様において、第２非イオン性界面活性剤（Ｂ）のＨＬＢ値は、約１０超、又は約１０．５超、又は約１１超、又は約１１．５超、又は約１２である。いくつかの態様において、第２非イオン性界面活性剤（Ｂ）は、Ｃ９，１１  ＥＯ５；Ｃ１１，１６  ＥＯ７；Ｃ１２，１３  ＥＯ５；Ｃ１２，１３  ＥＯ６．５；Ｃ１２，１３  ＥＯ８；Ｃ１２，１３  ＥＯ９；Ｃ１２，１４  ＥＯ７；Ｃ１２，１４  ＥＯ８；Ｃ１２，１４  ＥＯ９；Ｃ１４，１５  ＥＯ５；Ｃ１４，１５  ＥＯ７；Ｃ１４，１５  ＥＯ８；Ｃ１１  ＥＯ９；Ｃ１２，１４  ＥＯ９；Ｃ１２，１５  ＥＯ７；Ｃ１２，１５  ＥＯ１０；Ｃ１４，１５  ＥＯ８；Ｃ１４，１５  ＥＯ９；Ｃ１４，１８  ＥＯ９；Ｃ１０  ＥＯ３；Ｃ１０  ＥＯ６；Ｃ１２  ＥＯ３；Ｃ１２  ＥＯ６；Ｃ１２  ＥＯ９；及びこれらの混合物からなる群から選択される脂肪族アルコールエトキシレートである。いくつかの態様において、第２非イオン性界面活性剤（Ｂ）は、Ｃ１１，１６  ＥＯ７；Ｃ１４，１５  ＥＯ７；Ｃ１２，１４  ＥＯ７；Ｃ１２，１４  ＥＯ９；及びこれらの混合物からなる群から選択される。
【００４０】
いくつかの態様において、洗剤組成物はΔＨＬＢを有し、これは、第２非イオン性界面活性剤（Ｂ）のＨＬＢと第１非イオン性界面活性剤（Ａ）のＨＬＢとの間の差として計算される。いくつかの態様において、本組成物は、ΔＨＬＢが少なくとも約１、又は少なくとも約２、又は少なくとも約３、又は少なくとも約４、又は少なくとも約５である。いくつかの態様において、本組成物は、ΔＨＬＢが約１〜約１０、又は約１．５〜約６、又は約２〜約５、又は約２〜約３．５である。
【００４１】
いくつかの態様において、第１及び第２非イオン性界面活性剤の混合物のＨＬＢは、約８〜約１０、又は約９である。いくつかの態様において、洗剤組成物の界面活性剤系のＨＬＢは、約８〜約１０、又は約９である。
【００４２】
アニオン性界面活性剤
界面活性剤系は典型的に、アニオン性界面活性剤を含む。いくつかの態様において、本組成物は、洗剤組成物の重量に対して、約１％〜約２５％、又は約２％〜約２０％、又は約５％〜約１５％のアニオン性界面活性剤を含む。
【００４３】
好適なアニオン性界面活性剤には、洗剤製品に使用される、任意の従来型のアニオン性界面活性剤が挙げられる。これらには例えば、アルキルベンゼンスルホン酸及びこれらの塩、並びにアルコキシル化又は非アルコキシル化アルキルサルフェート物質が挙げられる。アニオン性界面活性剤は、酸形態又は中和（例えば、塩）形態で存在し得る。アニオン性界面活性剤は、直鎖、分枝鎖、又はこれらの混合物であり得る。
【００４４】
代表的なアニオン性界面活性剤は、Ｃ１０〜Ｃ１８のアルキルベンゼンスルホン酸、又はＣ１１〜Ｃ１４のアルキルベンゼンスルホン酸のアルカリ金属塩である。いくつかの態様において、アルキル基は直鎖であり、そのような直鎖アルキルベンゼンスルホネートは「ＬＡＳ」として知られている。アルキルベンゼンスルホン酸、特にＬＡＳは、当該技術分野において周知である。そのような界面活性剤及びその調製方法は、例えば、米国特許第２，２２０，０９９号及び同第２，４７７，３８３号に記述されている。特に有用なものは、アルキル基の炭素原子の平均数が約１１〜約１４である、線状の直鎖アルキルベンゼンスルホン酸ナトリウム及びカリウムである。Ｃ１１〜Ｃ１４（例えば、Ｃ１２）ＬＡＳナトリウムはそのような界面活性剤の具体的な例である。
【００４５】
他の代表的な種類のアニオン性界面活性剤には、アルコキシル化アルキルサルフェート界面活性剤がある。好ましいのは、エトキシル化アルキルサルフェート界面活性剤である。かかる物質は、アルキルエーテルサルフェート、アルキルポリエトキシル化サルフェート、又は単純に「ＡＥＳ」としても知られ、以下の式に対応するものである。Ｒ’−−Ｏ−−（Ｃ２Ｈ４Ｏ）ｎ−−ＳＯ３Ｍ（式中、Ｒ’はＣ８〜Ｃ２０のアルキル基、ｎは約０．５〜約２０、又は約１〜約２０、Ｍは塩形成カチオンである。）一態様において、Ｒ’はＣ１０〜Ｃ１８アルキルであり、ｎは約１〜約１５であり、Ｍはナトリウム、カリウム、アンモニウム、アルキルアンモニウム、又はアルカノールアンモニウムである。一態様において、Ｒ’はＣ１２〜Ｃ１６アルキルであり、ｎは約０．５〜約６、又は約１〜約６であり、Ｍはナトリウムである。
【００４６】
アルキルエーテルサルフェートは、一般的に、変動するＲ’鎖長と、変動するエトキシル化度とを有する、混合物の形態で使用可能である。しばしばそのような混合物はまた、いくつかの非エトキシル化アルキルサルフェート（「ＡＳ」）物質、すなわち、上記エトキシル化アルキルサルフェート式で、式中、ｎ＝０である界面活性剤も含む。
【００４７】
非エトキシル化アルキルサルフェートは、本発明の組成物に別途添加することもできる。非アルコキシル化アルキルエーテルサルフェート界面活性剤の具体例は、Ｃ８〜Ｃ２０の高級脂肪族アルコールの硫酸化により製造されるものである。従来の一級アルキルサルフェート界面活性剤は、一般式ＲＯＳＯ３−Ｍ＋を有し、式中、Ｒは直鎖Ｃ８〜Ｃ２０ヒドロカルビル基、Ｍは水溶性カチオンである。一態様において、ＲはＣ１０〜Ｃ１５アルキルであり、Ｍはアルカリ金属であり、より具体的には、ＲはＣ１２〜Ｃ１４であり、Ｍはナトリウムである。
【００４８】
分枝状界面活性剤
本組成物の界面活性剤は、分枝状洗浄界面活性剤であり得る。好適な分枝状洗浄界面活性剤には、１つ又は２つ以上の不規則なアルキル側枝（例えば、Ｃ１〜４アルキル基、典型的にはメチル及び／又はエチル基）を含んだ、分枝状サルフェート又は分枝状スルホネート界面活性剤（例えば、分枝状アルキルサルフェート）、分枝状アルキルアルコキシレート、及び分枝状アルキルベンゼンスルホネートからなる群から選択されるアニオン性分枝状界面活性剤が含まれる。
【００４９】
いくつかの態様において、分枝状洗浄界面活性剤は、鎖中部分枝状洗浄界面活性剤であり、典型的には、鎖中部分枝状アニオン性洗浄界面活性剤（例えば、鎖中部分枝状アルキルサルフェート及び／又は鎖中部分枝状アルキルベンゼンスルホネート）である。いくつかの態様において、洗浄界面活性剤は鎖中部分枝状アルキルサルフェートである。いくつかの態様において、鎖中部分枝は、Ｃ１〜４アルキル基、典型的にはメチル及び／又はエチル基である。
【００５０】
いくつかの態様において、分枝状界面活性剤は、次の式で表わされる、より長いアルキル鎖中部分枝状界面活性剤化合物を含む。
Ａｂ−Ｘ−Ｂ
式中、
（ａ）Ａｂは疎水性Ｃ９〜Ｃ２２（この部分の合計炭素数）、典型的には約Ｃ１２〜約Ｃ１８の、鎖中部分枝状アルキル部分であり、次のものを有する：（１）炭素数が８〜２１の範囲の、−Ｘ−Ｂ部分に結合している最長の直鎖炭素鎖；（２）この最長直鎖炭素鎖から分枝している１つ又は２つ以上のＣ１〜Ｃ３アルキル部分；（３）分枝しているアルキル部分の少なくとも１つが、第２位の炭素（−Ｘ−Ｂ部分に結合している炭素第１位から数えて）から、第ω−２位の炭素（末端炭素から２を引いた位置の炭素、すなわち、最長の直鎖炭素鎖の端から３番目）までの範囲内の位置で、最長の直鎖炭素鎖の１つの炭素に直接結合していること；並びに（４）界面活性剤組成物において、上記式のＡｂ−Ｘの炭素原子の平均合計数が１４．５超〜約１７．５（典型的には約１５〜約１７）であること；
（ｂ）Ｂは、サルフェート、スルホネート、アミンオキシド、ポリオキシアルキレン（例えばポリオキシエチレン及びポリオキシプロピレン）、アルコキシル化サルフェート、ポリヒドロキシ部分、リン酸エステル、グリセロールスルホネート、ポリグルコネート、ポリリン酸エステル、ホスホネート、スルホスクシネート、スルホスカミネート（sulfosuccaminates）、ポリアルコキシル化カルボキシレート、グルカミド、タウリネート、サルコシネート、グリシネート、イセチオネート、ジアルカノールアミド、モノアルカノールアミド、モノアルカノールアミドサルフェート、ジグリコールアミド、ジグリコールアミドサルフェート、グリセロールエステル、グリセロールエステルサルフェート、グリセロールエーテル、グリセロールエーテルサルフェート、ポリグリセロールエーテル、ポリグリセロールエーテルサルフェート、ソルビタンエーテル、ポリルコキシル化ソルビタンエーテル、アンモニオアルカンスルホネート、アミドプロピルベタイン、アルキル化第四級物、アルキル化／ポリヒドロキシル化第四級物、アルキル化／ポリヒドロキシル化オキシプロピル第四級物、イミダゾリン、２−イル−スクシネート、スルホン化アルキルエステル、及び、スルホン化脂肪酸（複数の疎水性部分がＢに結合し得ることに注意。例えば、（Ａｂ−Ｘ）ｚ−Ｂではジメチル第四級物を得る）から選択される親水性部分である；並びに、
（ｃ）Ｘは−ＣＨ２−及び−Ｃ（Ｏ）−から選択される。
【００５１】
一般に、上記の式において、Ａｂ部分はいかなる四級置換炭素原子（すなわち、４つの炭素原子が１つの炭素原子に直接結合している）も有さない。どの親水性部分（Ｂ）が選択されているかに応じて、結果として得られる界面活性剤は、アニオン性、カチオン性、双極性、両性（amphoteric）、又は両性（ampholytic）であり得る。いくつかの態様において、Ｂはサルフェートであり、結果として得られる界面活性剤はアニオン性である。
【００５２】
いくつかの態様において、分枝状界面活性剤は、上記式のより長いアルキル鎖鎖中部分枝状界面活性剤化合物を含み、式中、Ａｂ部分は次の式を有する分枝状一級アルキル部分である。
【００５３】
【化１】
2016520698.tif 000004
式中、この式の分枝状一級アルキル部分（Ｒ、Ｒ１、及びＲ２分枝を含む）にある炭素原子の合計数は１３〜１９であり；Ｒ、Ｒ１、及びＲ２はそれぞれ独立に、水素及びＣ１〜Ｃ３アルキル（典型的にはメチル）から選択され、ただしＲ、Ｒ１、及びＲ２がすべて水素であることはなく、また、ｚが０のとき、少なくともＲ又はＲ１は水素ではなく；ｗは０〜１３の整数であり；ｘは０〜１３の整数であり；ｙは０〜１３の整数であり；ｚは０〜１３の整数であり；ｗ＋ｘ＋ｙ＋ｚは７〜１３である。
【００５４】
特定の態様において、分枝状界面活性剤は、上記式のより長いアルキル鎖鎖中部分枝状界面活性剤化合物を含み、式中、Ａｂ部分は下記から選択される式を有する分枝状一級アルキル部分である。
【００５５】
【化２】
2016520698.tif 000005
又はこれらの混合物であり、式中、ａ、ｂ、ｄ、及びｅは整数であり、ａ＋ｂは１０〜１６であり、ｄ＋ｅは８〜１４であり、式中で更に、
ａ＋ｂ＝１０のとき、ａは２〜９の整数であり、ｂは１〜８の整数であり、
ａ＋ｂ＝１１のとき、ａは２〜１０の整数であり、ｂは１〜９の整数であり、
ａ＋ｂ＝１２のとき、ａは２〜１１の整数であり、ｂは１〜１０の整数であり、
ａ＋ｂ＝１３のとき、ａは２〜１２の整数であり、ｂは１〜１１の整数であり、
ａ＋ｂ＝１４のとき、ａは２〜１３の整数であり、ｂは１〜１２の整数であり、
ａ＋ｂ＝１５のとき、ａは２〜１４の整数であり、ｂは１〜１３の整数であり、
ａ＋ｂ＝１６のとき、ａは２〜１５の整数であり、ｂは１〜１４の整数であり、
ｄ＋ｅ＝８のとき、ｄは２〜７の整数であり、ｅは１〜６の整数であり、
ｄ＋ｅ＝９のとき、ｄは２〜８の整数であり、ｅは１〜７の整数であり、
ｄ＋ｅ＝１０のとき、ｄは２〜９の整数であり、ｅは１〜８の整数であり、
ｄ＋ｅ＝１１のとき、ｄは２〜１０の整数であり、ｅは１〜９の整数であり、
ｄ＋ｅ＝１２のとき、ｄは２〜１１の整数であり、ｅは１〜１０の整数であり、
ｄ＋ｅ＝１３のとき、ｄは２〜１２の整数であり、ｅは１〜１１の整数であり、
ｄ＋ｅ＝１４のとき、ｄは２〜１３の整数であり、ｅは１〜１２の整数である。
【００５６】
上述の鎖中部分枝状界面活性剤化合物において、界面活性剤の主鎖に沿って、特定の分枝点（例えば、上記の式で鎖上のＲ、Ｒ１、及び／又はＲ２部分の位置）が、他の分枝点よりも好ましい。下記の式は、モノメチル分枝アルキルＡｂ部分の、鎖中部分枝範囲（すなわち、分枝が生じている点）、好ましい鎖中部分枝範囲、及びより好ましい鎖中部分枝範囲を示す。
【００５７】
【化３】
2016520698.tif 000006
【００５８】
モノメチル置換界面活性剤の場合、これらの範囲からは、鎖の２つの末端炭素と、−Ｘ−Ｂ基に隣接する炭素原子とが除外される。
【００５９】
下記の式は、ジメチル置換アルキルＡｂ部分の、鎖中部分枝範囲、好ましい鎖中部分枝範囲、及びより好ましい鎖中部分枝範囲を示す。
【００６０】
【化４】
2016520698.tif 000007
【００６１】
他の好適な分枝状界面活性剤は、米国特許第６００８１８１号、同第６０６０４４３号、同第６０２０３０３号、同第６１５３５７７号、同第６０９３８５６号、同第６０１５７８１号、同第６１３３２２２号、同第６３２６３４８号、同第６４８２７８９号、同第６６７７２８９号、同第６９０３０５９号、同第６６６０７１１号、同第６３３５３１２号、及び国際公開特許ＷＯ  ９９１８９２９号に開示されている。更に他の好適な分枝状界面活性剤には、国際公開特許ＷＯ９７３８９５６号、同ＷＯ９７３８９５７号、及び同ＷＯ０１０２４５１号に記述されているものが挙げられる。
【００６２】
いくつかの態様において、分枝状アニオン性界面活性剤は、国際公開特許ＷＯ  ９９／０５２４３、ＷＯ  ９９／０５２４２、ＷＯ  ９９／０５２４４、ＷＯ  ９９／０５０８２、ＷＯ  ９９／０５０８４、ＷＯ  ９９／０５２４１、ＷＯ  ９９／０７６５６、ＷＯ  ００／２３５４９、及びＷＯ  ００／２３５４８に記載される分枝状変性アルキルベンゼンスルホネート（ＭＬＡＳ）を含む。
【００６３】
いくつかの態様において、分枝状アニオン性界面活性剤は、疎水性鎖に沿って不規則に分布するメチル側枝を含んだＣ１２／１３アルコール系界面活性剤（例えば、Ｓａｓｏｌから販売されるＳａｆｏｌ（登録商標）、Ｍａｒｌｉｐａｌ（登録商標））を含む。
【００６４】
更に好適な分枝状アニオン性洗浄界面活性剤には、２−アルキル位置で分枝する、アルコールから誘導された界面活性剤、例えば、商品名Ｉｓａｌｃｈｅｍ（登録商標）１２３、Ｉｓａｌｃｈｅｍ（登録商標）１２５、Ｉｓａｌｃｈｅｍ（登録商標）１４５、Ｉｓａｌｃｈｅｍ（登録商標）１６７で販売されているものが挙げられ、これらはオキソ法により誘導されたものである。オキソ法により、分枝は２−アルキル位置に配置される。この２−アルキル分枝アルコールは典型的に、長さがＣ１１〜Ｃ１４／Ｃ１５の範囲であり、２−アルキル位置で分枝するすべての構造異性体を含む。これらの分枝アルコール及び界面活性剤は、米国特許公開第２０１１００３３４１３号に記述されている。
【００６５】
他の好適な分枝状界面活性剤としては、米国特許第６０３７３１３号（Ｐ＆Ｇ）、国際公開特許ＷＯ９５２１２３３号（Ｐ＆Ｇ）、米国特許第３４８０５５６号（Ａｔｌａｎｔｉｃ  Ｒｉｃｈｆｉｅｌｄ）、米国特許第６６８３２２４号（Ｃｏｇｎｉｓ）、米国特許公開第２００３０２２５３０４Ａ１号（Ｋａｏ）、米国特許公開第２００４２３６１５８Ａ１号（Ｒ＆Ｈ）、米国特許第６８１８７００号（Ａｔｏｆｉｎａ）、米国特許公開第２００４１５４６４０号（Ｓｍｉｔｈら）、欧州特許ＥＰ１２８０７４６号（Ｓｈｅｌｌ）、欧州特許ＥＰ１０２５８３９号（Ｌ’Ｏｒｅａｌ）、米国特許第６７６５１１９号（ＢＡＳＦ）、欧州特許ＥＰ１０８００８４号（Ｄｏｗ）、米国特許第６７２３８６７号（Ｃｏｇｎｉｓ）、欧州特許ＥＰ１４０１７９２Ａ１号（Ｓｈｅｌｌ）、欧州特許ＥＰ１４０１７９７Ａ２号（Ｄｅｇｕｓｓａ  ＡＧ）、米国特許公開第２００４０４８７６６号（Ｒａｔｈｓら）、米国特許第６５９６６７５号（Ｌ’Ｏｒｅａｌ）、欧州特許ＥＰ１１３６４７１号（Ｋａｏ）、欧州特許ＥＰ９６１７６５号（Ａｌｂｅｍａｒｌｅ）、米国特許第６５８０００９号（ＢＡＳＦ）、米国特許公開第２００３１０５３５２号（Ｄａｄｏら）、米国特許第６５７３３４５号（Ｃｒｙｏｖａｃ）、ドイツ特許ＤＥ１０１５５５２０号（ＢＡＳＦ）、米国特許第６５３４６９１号（ｄｕ  Ｐｏｎｔ）、米国特許第６４０７２７９号（ＥｘｘｏｎＭｏｂｉｌ）、米国特許第５８３１１３４号（Ｐｅｒｏｘｉｄ−Ｃｈｅｍｉｅ）、米国特許第５８１１６１７号（Ａｍｏｃｏ）、米国特許第５４６３１４３号（Ｓｈｅｌｌ）、米国特許第５３０４６７５号（Ｍｏｂｉｌ）、米国特許第５２２７５４４号（ＢＡＳＦ）、米国特許第５４４６２１３Ａ号（ＭＩＴＳＵＢＩＳＨＩ  ＫＡＳＥＩ  ＣＯＲＰＯＲＡＴＩＯＮ）、欧州特許ＥＰ１２３０２００Ａ２号（ＢＡＳＦ）、欧州特許ＥＰ１１５９２３７Ｂ１号（ＢＡＳＦ）、米国特許公開第２００４０００６２５０Ａ１号（ＮＯＮＥ）、欧州特許ＥＰ１２３０２００Ｂ１号（ＢＡＳＦ）、国際公開特許ＷＯ２００４０１４８２６Ａ１号（ＳＨＥＬＬ）、米国特許第６７０３５３５Ｂ２号（ＣＨＥＶＲＯＮ）、欧州特許ＥＰ１１４０７４１Ｂ１号（ＢＡＳＦ）、国際公開特許ＷＯ２００３０９５４０２Ａ１号（ＯＸＥＮＯ）、米国特許第６７６５１０６Ｂ２号（ＳＨＥＬＬ）、米国特許公開第２００４０１６７３５５Ａ１号（ＮＯＮＥ）、米国特許第６７０００２７Ｂ１号（ＣＨＥＶＲＯＮ）、米国特許公開第２００４０２４２９４６Ａ１号（ＮＯＮＥ）、国際公開特許ＷＯ２００５０３７７５１Ａ２号（ＳＨＥＬＬ）、国際公開特許ＷＯ２００５０３７７５２Ａ１号（ＳＨＥＬＬ）、米国特許第６９０６２３０Ｂ１号（ＢＡＳＦ）、国際公開特許ＷＯ２００５０３７７４７Ａ２号（ＳＨＥＬＬ）石油会社に記述されているものが挙げられる。
【００６６】
別の好適な分枝状アニオン性洗浄界面活性剤には、米国特許公開第２０１０／０１３７６４９号に記載のイソプレノイド系多分枝洗剤用アルコールの界面活性剤誘導体が含まれる。イソプレノイド系界面活性剤及びイソプレノイド誘導体はまた、「Ｃｏｍｐｒｅｈｅｎｓｉｖｅ  Ｎａｔｕｒａｌ  Ｐｒｏｄｕｃｔｓ  Ｃｈｅｍｉｓｔｒｙ：Ｉｓｏｐｒｅｎｏｉｄｓ  Ｉｎｃｌｕｄｉｎｇ  Ｃａｒｏｔｅｎｏｉｄｓ  ａｎｄ  Ｓｔｅｒｏｉｄｓ（Ｖｏｌ．ｔｗｏ）」（Ｂａｒｔｏｎ  ａｎｄ  Ｎａｋａｎｉｓｈｉ，（著作権）１９９９，Ｅｌｓｅｖｉｅｒ  Ｓｃｉｅｎｃｅ  Ｌｔｄ）と題する書籍にも記述されており、この構造Ｅに含まれ、これらは参照により本明細書に組み込まれる。
【００６７】
更に好適な分枝状アニオン性洗浄界面活性剤には、アンテイソ及びイソアルコールから誘導されたものが挙げられる。そのような界面活性剤は、国際公開特許ＷＯ２０１２００９５２５号に開示されている。
【００６８】
他の好適な分枝状アニオン性洗浄界面活性剤には、米国特許出願第２０１１／０１７１１５５Ａ１号及び同第２０１１／０１６６３７０Ａ１に記述されているものが挙げられる。
【００６９】
好適な分枝状アニオン性界面活性剤には、ゲルベアルコール系界面活性剤も挙げられる。ゲルベアルコールは分枝状の一級１官能性アルコールで、２本の直鎖炭素鎖を有し、分枝点は常に第２炭素位置にある。ゲルベアルコールは化学的に２−アルキル−１−アルカノールとして記述される。ゲルベアルコールは一般に、１２〜３６個の炭素原子を有する。ゲルベアルコールは、式：（Ｒ１）（Ｒ２）ＣＨＣＨ２ＯＨにより表わすことができ、式中、Ｒ１は直鎖アルキル基であり、Ｒ２は直鎖アルキル基であり、Ｒ１とＲ２の炭素原子の合計数は１０〜３４であり、Ｒ１とＲ２の両方とも存在する。ゲルベアルコールは、Ｓａｓｏｌから商品名Ｉｓｏｆｏｌ（登録商標）アルコールとして、またＣｏｇｎｉｓから商品名Ｇｕｅｒｂｅｔｏｌとして市販されている。
【００７０】
本明細書に開示される界面活性剤系は、上述の分枝状界面活性剤の任意のものを独立に含んでよく、あるいは、界面活性剤系は、上述の分枝状界面活性剤の混合物を含んでもよい。更に、上述の分枝状界面活性剤それぞれが、バイオベース含有成分を含み得る。いくつかの態様において、分枝状界面活性剤は、少なくとも約５０％、少なくとも約６０％、少なくとも約７０％、少なくとも約８０％、少なくとも約９０％、少なくとも約９５％、少なくとも約９７％、又は約１００％のバイオベース含有成分を有する。
【００７１】
アニオン性／非イオン性の組み合わせ
界面活性剤系は、アニオン性界面活性剤と非イオン性界面活性剤の混合物（例えば、直鎖アルキルベンゼンスルホン酸と、Ｃ１２〜１８アルキルエトキシレート）を含み得る。いくつかの態様において、アニオン性界面活性剤と非イオン性界面活性剤との重量比は、約１：１００〜約５：１、又は約１：１００〜約３：１、又は約１：１００〜約１：１、又は約４０：１００〜約７５：１００であり得る。
【００７２】
有機酸
本発明の洗剤組成物には、有機酸を含めることができる。有機酸は、有機カルボン酸又はポリカルボン酸の形態であり得る。使用し得る有機酸の例としては、酢酸、アジピン酸、アスパラギン酸、カルボキシメチルオキシマロン酸、カルボキシメチルオキシコハク酸、クエン酸、蟻酸、グルタル酸、ヒドロキシエチルイミノ二酢酸、イミノ二酢酸、乳酸、マレイン酸、リンゴ酸、マロン酸、オキシ二酢酸、オキシジコハク酸、コハク酸、スルファミン酸、酒石酸、酒石ジコハク酸、酒石モノコハク酸、又はこれらの混合物が挙げられる。いくつかの態様において、有機酸は、乳酸、酢酸、クエン酸、及びこれらの混合物からなる群から選択される。いくつかの態様において、有機酸はクエン酸である。いくつかの態様において、組成物は、クエン酸など洗剤ビルダーとしても機能できる有機酸を含む。
【００７３】
有機酸は、水溶性又は水混和性の酸であり得る。いくつかの態様において、有機酸は、２０℃で１００ｍｌの水に少なくとも約１０ｇの酸、又は１００ｍｌの水に少なくとも約３０ｇの酸、又は１００ｍｌの水に少なくとも約５０ｇの酸、又は１００ｍｌの水に少なくとも約７０ｇの酸、又は１００ｍｌの水に少なくとも約８５ｇの酸の溶解度を有する。いくつかの態様において、本組成物は、脂肪酸を実質的に含まない。
【００７４】
有機酸は、低分子量の酸であってよく、例えば、２１０ｇ／モル未満の分子量を有する酸であり得る。いくつかの態様において、有機酸は、９個以下の炭素原子を有し、あるいは６個以下の炭素原子を有する。洗剤組成物中の有機酸は、４個以下の炭素原子、又は３個以下の炭素原子、又は３個より少ない炭素原子を有し得る。３個より少ない炭素原子を有する有機酸の具体的な例としては蟻酸及び酢酸が挙げられる。
【００７５】
いくつかの態様において、本開示の組成物は、組成物の重量に対して、約５％〜約１５％、約６％〜約１２％、約６％〜約１０％、又は約７％〜約８．５％の有機酸を含む。
【００７６】
増粘剤
本組成物の望ましい粘度は一般に、増粘剤の添加によってではなく、界面活性剤の注意深い選択によって得ることができる。よって、いくつかの態様において、本明細書に記述される組成物は増粘剤を実質的に含まない。他の態様において、本組成物は更なる粘度を構築するために増粘剤を含む。よって、いくつかの態様において、本組成物は、本組成物重量に対して、約０．０１％〜約１％、又は約０．０２％〜約０．７５％、又は約０．０５％〜約０．５％の増粘剤を含む。
【００７７】
増粘剤には、メチルセルロース、ヒドロキシプロピルメチルセルロース、キサンタンガム、ジェランガム、グアーガム及びヒドロキシプロピルグアーガム、サクシノグリカン、並びにトリヒドロキシステアリンが挙げられる。他の増粘剤としては、Ｄｏｗ  ＣｈｅｍｉｃａｌからＭｅｔｈｏｃｅｌ（登録商標）という商品名で、及びＡｋｚｏ  ＮｏｂｅｌからＡｌｃｏｇｕｍ  Ｌ５２０という商品名で市販されている、メチルセルロース及びヒドロキシプロピルメチルセルロース増粘剤が挙げられる。疑わしさをなくすために、本明細書で使用されるとき、「増粘剤」には、洗浄界面活性剤又はその塩は含まれない。
【００７８】
増粘剤には更に、例えば塩化ナトリウム又は蟻酸ナトリウムなどの特定の塩が含まれる。しかしながら低ｐＨ配合においては、塩は腐食及び安定性の問題に寄与し得るため、特に望ましくない可能性がある。よっていくつかの態様において、本開示の組成物は、アルカリ金属ハロゲン化物、アルカリ土類金属ハロゲン化物、又はこれらの混合物を実質的に含まない。いくつかの態様において、本組成物に、アルカリ金属ハロゲン化物又はアルカリ土類金属ハロゲン化物が遊離成分として添加されることはない。いくつかの態様において、本組成物は、塩化ナトリウム及び／又は蟻酸ナトリウムを実質的に含まない。いくつかの態様において、本組成物は、塩化物イオン及び／又は蟻酸イオンを実質的に含まない。いくつかの態様において、本組成物は、蟻酸を実質的に含まない。本組成物は、組成物の重量に対して、約０．５％未満、又は約０．１％未満、又は約０．０１％未満のハロゲン化物イオン又は塩化物イオンを含み得る。
【００７９】
ｐＨ
本明細書に記述される組成物は、低ｐＨ洗剤組成物である。「低ｐＨ」とは、組成物が未希釈でｐＨ約７未満、又は、いくつかの態様において、約６．５未満であることを意味する。いくつかの態様において、本組成物は、未希釈のｐＨが約１．５〜約６．９、又は約１．５〜約６．５、又は約１．５〜約６、又は約２〜約５、又は約２〜約４、又は約２〜約３、又は約２．５である。
【００８０】
いくつかの態様において、中和（又はアルカリ化）剤を本組成物に加えて、組成物の望ましい最終未希釈ｐＨを得る。好適な中和剤には、アルカリ金属、アルカリ土類金属、又は置換アンモニウムの水酸化物、炭酸塩、重炭酸塩、珪酸塩、又はこれらの混合物が挙げられる。あるいは、中和剤はアミン又はアミドであってよい。いくつかの態様において、中和剤は、モノエタノールアミン（ＭＥＡ）、ジエタノールアミン、トリエタノールアミン、２−アミノプロパノール、モノイソプロパノールアミン（ＭＩＰＡ）、又はこれらの混合物から選択されるアルカノールアミンである。いくつかの態様において、アルカリ化剤は、ＮａＯＨ、ＭＥＡ、又はこれらの混合物である。いくつかの態様において、本組成物は、組成物の重量に対して、約１％未満、又は約０．５％未満、又は、約０．１％未満のアルカノールアミンを含む。いくつかの態様において、本組成物は、約０．５％未満のエタノールアミンを含む。
【００８１】
いくつかの態様において、本開示の洗剤組成物は、例えば標準の洗濯用バケツの洗浄液に、約６．５未満、又は約６．２未満、又は約６．０未満のｐＨ（「洗浄液ｐＨ」）を提供することができる。実質的には、本発明の洗剤組成物は、洗浄水が洗浄水の約０．０２重量％〜約４重量％の洗剤組成物を含有するように、十分な量で洗浄水に供給される。一態様において、洗浄水は、洗浄水の約０．０３重量％〜約３重量％、あるいは約０．０４重量％〜約２重量％（約４００〜約２０，０００ｐｐｍ）の洗剤を含有する。
【００８２】
保有酸度
本明細書で使用されるとき、「保有酸度」とは、ｐＨ  ７．００に達するのに必要な、製品１００ｇ当たりのＮａＯＨのグラム数を指す。本明細書に使用される保有酸度測定は、蒸留水中の製品１％溶液を、標準化ＮａＯＨ溶液を用いて、ｐＨ  ７．００のエンドポイントまで（標準の温度及び気圧で）滴定を行うことに基づく。理論によって制限されるものではないが、この保有酸度測定は、組成物の酸性化力、すなわち、純粋な水又は蒸留水ではなく水道の水で大幅に希釈されたときに、組成物が標的の酸性洗浄ｐＨを提供できる能力、を測定するのに最良の方法であることが見出されている。保有酸度は、未希釈の製品ｐＨと共に、配合されている有機酸の濃度によって制御される。
【００８３】
本明細書に記述される組成物は、少なくとも約１、又は少なくとも約３、又は少なくとも約５の保有酸度を有する。いくつかの態様において、本明細書の組成物の、ｐＨ  ７．００に達する保有酸度は、約３〜約１０、又は約４〜約７である。
【００８４】
粘度
いくつかの態様において、本組成物は、２０ｓ−１、２１．１℃で測定したときに約２００ｃｐｓ（センチポアズ）超の粘度を有する。いくつかの態様において、本組成物は、２０ｓ−１、２１．１℃で測定したときに、約２００ｃｐｓ〜約３０００、又は約２００〜約１５００ｃｐｓ、又は約２００ｃｐｓ〜約１２００ｃｐｓ、又は約２００ｃｐｓ〜約８５０ｃｐｓ、又は約２５０ｃｐｓ〜約７００ｃｐｓ、又は約２００ｃｐｓ〜約４００ｃｐｓの粘度を有する。
【００８５】
これらの定義において、別途具体的に記載のない限り、本明細書に記述される粘度はすべて、剪断速度２０ｓ−１、温度２１．１℃で測定される。粘度は、例えば、ＬＶＤＶＩＩ＋又はＲＶＤＶＩＩ＋Ｂｒｏｏｋｆｉｅｌｄ装置などの、任意の好適な粘度測定装置で測定することができる。
【００８６】
安定性
一般に、本明細書に記述される組成物は物理的に安定であり、これは、本組成物が顕著に相分離しないことを意味する。安定性／相分離に関して組成物を試験するには、組成物を１０ｍＬバイアルに入れ、１０℃、２５℃、及び４０℃で７日間保持する。各温度それぞれで７日後、バイアルの相分離を調べる。（ｉ）組成物が２層又はそれ以上に分離していないままである場合、又は（ｉｉ）層に分離しているが、その主層が、組成物の重量の少なくとも少なくとも９０％又は少なくとも９５％を占めている場合、特定の温度で組成物が相安定であると判定される。
【００８７】
洗濯補助剤
本発明の組成物は、例えば、染料、漂白剤、キレート剤、ラジカルスカベンジャー、香料、蛍光増白剤、抑泡剤、汚れ懸濁ポリマー、汚れ放出ポリマー、移染阻害剤、布地柔軟化添加剤、構造化剤、ビルダー、酵素、保存料、溶媒、泥汚れ除去／再付着防止剤、及び／又はその他の有益剤などの、１つ又は２つ以上の洗濯補助剤を含み得る。いくつかの態様において、本組成物は、本明細書にリストされている補助剤を約０．０１％〜約５０％含んでもよい。他の態様において、本組成物は実質的に補助剤を含まなくてもよい。好適な洗濯補助剤は、例えば、米国特許出願第１３／６２３／１２８号に更に記述されており、これは参照により本明細書に組み込まれる。
【００８８】
染料
本組成物は、特定の色を組成物自体にもたらす（非布地直接染料）か、又は布地に色相をもたらす（色相染料）ために、染料を含み得る。一態様において、本発明の組成物は、組成物の重量に対して、約０．０００１％〜約０．０１％の非布地直接染料及び／又は色相染料を含む。本明細書で有用な染料の例には、いずれもＳｔａｎｄａｒｄ  Ｄｙｅｓ（Ｈｉｇｈ  Ｐｏｉｎｔ、ＮＣ）から市販されているＢａｓｉｃ  Ｖｉｏｌｅｔ  ３（Ｃｌ  ４２５５５）及びＢａｓｉｃ  Ｖｉｏｌｅｔ４（Ｃｌ  ４２６００）、並びにＭｉｌｌｉｋｅｎ  Ｃｏｍｐａｎｙから市販されているＬｉｑｕｉｔｉｎｔ  Ｖｉｏｌｅｔ  ２００が挙げられる。
【００８９】
漂白剤
本組成物は、漂白剤を含み得る。いくつかの態様において、本発明の組成物は組成物の重量に対して約０．１０％〜約１０％の漂白剤を含有してよい。本明細書で有用な漂白剤には、過酸化水素又は６−フタルイミドペルオキシヘキサン酸などの過酸が挙げられる。いくつかの態様において、本組成物は、ＴＡＥＤ又はＮＯＢＳなどの漂白活性化剤を含み得る。本組成物が少なくとも２つ、又は少なくとも３つのコンパートメントを有する単位用量形態であるとき、漂白剤は、界面活性剤とは異なるコンパートメント内にあり得る。いくつかの態様において、本組成物は、漂白剤を実質的に含まない。
【００９０】
キレート剤
本組成物は、キレート剤を含み得る。本明細書で有用なキレート剤には、ＤＴＰＡ、ＨＥＤＰ、ＤＴＰＭＰ、多官能基置換芳香族キレート剤（例えば１，２−ジヒドロキシ−３，５−ジスルホベンゼン（タイロン））、ジピコリン酸、及びこれらの混合物が挙げられる。
【００９１】
ラジカルスカベンジャー
本組成物は、安定性をもたらすために液体過酸化水素と共に使用され得るラジカルスカベンジャーを含有してよい。本明細書で有用なラジカルスカベンジャーには、トリメトキシ安息香酸が挙げられる。
【００９２】
香料
本発明の組成物は、香料を含み得る。香料は典型的に、酸安定性の香料である。本組成物は、組成物の重量に対して、約０．１％〜約５％、又は約０．５％〜約４％、又は約１％〜約３％、又は約２％〜約２．５％の香料を含み得る。
【００９３】
いくつかの態様において、本明細書で開示される組成物は、香料送達系を含んでもよい。好適な香料送達系、特定の香料送達系の製造方法及びかかる香料送達系の使用は、米国特許出願第２００７／０２７５８６６（Ａ１）号に開示されている。こうした香料送達系は香料マイクロカプセルであってよい。この香料マイクロカプセルは、香料を含むコアと、シェルとを含んでよく、このシェルはコアを封入する。シェルは、アミノ樹脂コポリマー、アクリル、アクリレート、及びこれらの混合物からなる群から選択される材料を含み得る。アミノ樹脂コポリマーは、メラミン−ホルムアルデヒド、尿素−ホルムアルデヒド、架橋メラミンホルムアルデヒド、又はこれらの混合物であり得る。香料マイクロカプセルのシェルは、本開示の組成物を用いて処理される箇所への香料マイクロカプセルの沈着及び／又は定着に役立つ１つ以上の材料（例えばポリマー）でコーティングされてもよい。このポリマーは、多糖類、カチオン変性デンプン、カチオン変性グアー、ポリシロキサン、ポリジアリルジメチルアンモニウムハロゲン化物、ポリジアリルジメチルアンモニウムクロリドとビニルピロリドンとのコポリマー、アクリルアミド、イミダゾール、イミダゾリニウムハロゲン化物、イミダゾリウムハロゲン化物、ポリビニルアミン、ポリビニルアミンとＮ−ビニルホルムアミドとのコポリマー、及びこれらの混合物からなる群から選択されるカチオン性ポリマーであってよい。香料マイクロカプセルは砕けやすくてよく、及び／又は約１０μｍ〜約５００μｍ、又は約２０μｍ〜約２００μｍの平均粒径を有してよい。いくつかの態様において、本組成物は、組成物の総重量に基づいて、約０．０１％〜約８０％、又は約０．１％〜約５０％、又は約１．０％〜約２５％、又は約１．０％〜約１０％の香料マイクロカプセルを含む。好適なカプセルは、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から入手可能である。ホルムアルデヒド捕捉剤は、こうした香料マイクロカプセルの中で用いることも、こうした香料マイクロカプセルと併せて用いることもできる。
【００９４】
蛍光増白剤
本組成物は、蛍光増白剤を含み得る。本明細書で有用な蛍光増白剤には、Ｔｉｎｏｐａｌ  ＣＢＳ−Ｘなど、酸環境に適合するものが挙げられる。
【００９５】
抑泡剤
本組成物は、抑泡剤を含み得る。いくつかの態様において、本組成物は、組成物の重量に対して、約０．００１％〜約０．０２％の抑泡剤を含む。本明細書で有用な抑泡剤の例には、シリカ／シリコーンタイプ、シリコーンオイル、分枝アルコール、又はこれらの混合物が挙げられる。
【００９６】
汚れ懸濁ポリマー
本組成物は、組成物の重量対して約０．００１％〜約０．５％の汚れ懸濁ポリマーを含み得る。汚れ懸濁ポリマーには、ＰＥＩエトキシレート、ＨＭＤＡジクワットエトキシレート、スルホネート誘導体、及び疎水変性されたアニオン性コポリマーが挙げられるがこれらに限定されない。
【００９７】
汚れ放出ポリマー
本組成物は、組成物の重量対して約０．００１％〜約０．５％の汚れ放出ポリマーを含み得る。汚れ放出ポリマーには、ＰＥＴアルコキシレート短ブロックコポリマー、そのアニオン性誘導体、又はこれらの混合物が挙げられるがこれらに限定されない。
【００９８】
移染阻害剤
本組成物は、移染阻害剤及び／又は染料固着剤を含み得る。本明細書で有用な移染阻害剤の例には、ポリビニルピロリドン、ポリ−４−ビニルピリジン−Ｎ−オキシド、Ｎ−ビニル−２−ピロリドン及びＮ−ビニルイミダゾールのコポリマー、又はこれらの混合物が挙げられる。本願に有用な染料固着剤は、米国特許第６，７５３，３０７号に開示されている。
【００９９】
布地柔軟化添加剤
本組成物は、布地柔軟化活性物質を含み得る。本明細書で有用な布地柔軟化添加剤の例には、アルキル四級アンモニウム化合物、エステル四級アンモニウム化合物、シリコーン、カチオン性シリコーン、又はこれらの混合物が挙げられる。
【０１００】
構造化剤
本発明の組成物は典型的に、外部構造化ではなく内部構造化に依存する。「内部構造化」とは、洗剤界面活性剤が構造化効果を担っていることを意味する。一方、「外部構造化」とは、望ましいレオロジー及び粒子懸濁力を達成するために、構造化剤として非界面活性剤（例えば、結晶性グリセリド）に依存する構造化を意味する。
【０１０１】
いくつかの態様において、本発明の組成物は、外部構造化系を実質的に含まない。いくつかの態様において、本組成物は、硬化ヒマシ油（ＨＣＯ）を含むがこれに限定されないヒドロキシ官能基化結晶性材料を実質的に含まない。いくつかの態様において、本組成物は、組成物の重量に対して、約０．０１％未満、又は約０．００１％未満の、ヒドロキシ官能基化結晶性材料、又は硬化ヒマシ油を含む。他の態様において、更なる構造化が望ましい場合、本組成物は、組成物の重量に対して、約０．０１％〜約６％のヒドロキシ官能基化結晶性材料を含み得る。
【０１０２】
酵素
本組成物は、低ｐＨ環境で安定かつ有効な活性酵素を、約０．００００１％〜約０．０１％含み得る。好適な酵素には、カルボヒドラーゼ、アミラーゼ、セルラーゼ、リパーゼ、プロテアーゼ、又はこれらの混合物が挙げられる。
【０１０３】
ビルダー
本組成物は、ビルダーを含み得る。本明細書の好適なビルダーは、ホスホネート及びポリホスホネート、とりわけナトリウム塩；アルミノ珪酸塩及び珪酸塩；炭酸塩、重炭酸塩、セスキ炭酸塩及びナトリウム炭酸塩又はセスキ炭酸塩以外の炭酸塩鉱物；有機モノ−、ジ−、トリ−、及びテトラカルボン酸塩、とりわけ酸、ナトリウム、カリウム、又はアルカノールアンモニウム塩形態での水溶性非界面活性剤カルボン酸塩、並びに脂肪族及び芳香族タイプを含むオリゴマー又は水溶性低分子量ポリマーカルボン酸塩；並びにフィチン酸、からなる群から選択され得る。これらは、例えばｐＨ緩衝化の目的のためのホウ酸塩によって、又は硫酸塩、特に硫酸ナトリウム及び安定な界面活性剤及び／又はビルダー含有洗剤組成物の工業技術に重要であり得る任意の他の充填剤又は担体によって補完され得る。
【０１０４】
保存料
本組成物は、保存料を含み得る。好適な保存料は、当業者により選択することができ、Ｐｒｏｘｅｌ（商標）（Ａｒｃｈ  Ｃｈｅｍｉｃａｌｓ／Ｌｏｎｚａから販売）が挙げられ得る。本組成物は、組成物の重量に対して、約０．０１％〜約２．０％、又は約０．１％〜約１．０％、又は、約０．１％〜約０．３％の保存料を含んでもよい。いくつかの態様において、本組成物は０．０１％未満の保存料を含む。いくつかの態様において、本組成物は、保存料を実質的に含まない。
【０１０５】
溶媒
いくつかの態様において、本組成物は水を含み、実質的に有機溶媒を含まない。他の態様において、本組成物は有機溶媒を含んでもよい。好適な有機溶媒としては、１，２−プロパンジオール、エタノール、グリセロール、ジプロピレンジグリコール、メチルプロパンジオール、及びこれらの混合物が挙げられる。他の低級アルコール、モノエタノールアミン及び／又はトリエタノールアミン等のＣ１〜Ｃ４アルカノールアミンを使用してもよい。
【０１０６】
いくつかの態様において、本組成物は、組成物の重量に対して、約０．０５％〜約２５％、約０．１％〜約１５％、約１％〜約１０％、又は約２％〜約５％の有機溶媒を含む。いくつかの態様において、本組成物は５％未満又は１％未満の有機溶媒を含む。
【０１０７】
粘土汚れ除去／再付着防止剤
本組成物は、例えば水溶性エトキシル化アミンなどの、粘土汚れ除去／再付着防止剤を含み得る。他の代表的な粘土汚れ除去及び再付着防止剤は、米国特許第４，５９７，８９８号、同第５４８，７４４号、同第４，８９１，１６０号、欧州特許出願第１１１，９６５号、同第１１１，９８４号、同第１１２，５９２号、国際公開特許ＷＯ  ９５／３２２７２号に記述されている。いくつかの態様において、濃縮された本組成物は、約０．００５重量％〜約５重量％の粘土汚れ除去／再付着防止剤を含む。いくつかの態様において、本組成物は、粘土汚れ除去／再付着防止剤を実質的に含まない。
【０１０８】
使用方法
本開示は、例えば布地などの表面を、本明細書に開示される組成物で処理するための方法を開示する。いくつかの態様において、この方法は、表面を任意に洗浄及び／又はすすぐ工程と、この表面に本開示の組成物を接触させる工程と、次にこの表面を任意に洗浄及び／又はすすぐ工程とを含む。表面を本開示の組成物で処理した後、表面を任意に乾燥させることができる。表面は、未希釈形態又は希釈形態の組成物に接触させることができる。いくつかの態様において、組成物は洗浄水に混合させることができる。表面を処理する方法は、例えば手洗いなどの手作業で行うことができ、又は例えば洗濯機などの機械によるなど、自動化された様式で行うことができる。
【実施例】
【０１０９】
本開示による組成物の非限定的な例、並びに比較例を、下記の表２、３、及び４に示す。
【０１１０】
実施例の調製
本組成物を調製するために、組成物の約８０％の水をバッチタンクに入れる。次に、組成物の塩基（例えば、ＮａＯＨ又はＭＥＡ）の約８０％を加える。静かに撹拌する。混合しながら、酸を加え、次いで界面活性剤を加える。界面活性剤が完全に混和するまで撹拌を続ける。混合しながら、撹拌を強めてもよい。界面活性剤が完全に混和したら、他の補助剤を加えることができる（ポリマー、キレート剤、染料、香料など）。残りの塩基を少しずつ加えることによって、望ましい最終未希釈ｐＨに滴定する。残りの水を加えて平衡させる。
【０１１１】
ｐＨの測定
組成物のｐＨは、ｓｙｍｐＨｏｎｙ  ＳＰ７０Ｐ  ｐＨ計（ＶＷＲ（Ｒａｄｎｏｒ、Ｐｅｎｎｓｙｌｖａｎｉａ）から販売）を用いて測定される。このｐＨ計は、ｐＨ＝４、７、及び１０の校正液をそれぞれ使用して、ＶＷＲ  ｓｙｍｐＨｏｎｙ  Ｍｅｔｅｒ  Ｕｓｅｒ  Ｇｕｉｄｅに従って校正される。ｐＨ計の校正が済んだら、プローブを脱イオン水ですすぎ、未希釈の液に入れ、値を記録する。
【０１１２】
粘度の決定
粘度の測定は、モデルＬＶＤＶ−ＩＩ＋又はＲＶＤＶ−ＩＩ＋Ｂｒｏｏｋｆｉｅｌｄ  Ｖｉｓｃｏｍｅｔｅｒ（Ｂｒｏｏｋｆｉｅｌｄ  Ｅｎｇｉｎｅｅｒｉｎｇ  Ｌａｂｓ  Ｉｎｃ（Ｍｉｄｄｌｅｂｏｒｏ，Ｍａｓｓａｃｈｕｓｅｔｔｓ）から販売）で行う。２５℃の適切なＢｒｏｏｋｆｉｅｌｄ標準を用いて、週に１回、標準チェックを行う。測定は、温度補償のための循環水浴、及びスピンドルＳＣ４−３１（エントリーコード＝３１）に接続され、６０ＲＰＭで作動する（剪断速度測定値２０ｓ−１）、Ｂｒｏｏｋｆｉｅｌｄウォータージャケット付き少量サンプルアダプター（モデルＳＣ４−１３Ｒ）を用いて行われる。水浴温度は２１．１℃に設定する。泡レベラーを用いて、装置の液面が平らになるようチェックする。装置をオンにし、スピンドルが取り付けられていない状態で自動ゼロ点調整を行う。測定するサンプルが脱気されていることを確認してから、取り外し式サンプルチャンバーに、約１５ｍＬの製品を入れる。サンプル液は、気泡が取り込まれないようにするため、内壁に沿ってゆっくりと注ぐ。サンプルチャンバーを小さなサンプルアダプターカップに入れ、スピンドルをサンプル液に浸す。このサンプルを３０分間放置して、サンプルチャンバーとスピンドルを試験温度に到達させる。モーターをオンにして、適切なＲＰＭ（６０ｒｐｍ、３１スピンドル＝剪断速度２０ｓ−１）にする。ディスプレイキーを切り替え、粘度ｃｐｓ測定値を表示させる。スピンドルモーターをオンにした状態でサンプルを５分間平衡させてから、最終的な粘度測定値を読み取る。試験中、ガードレッグは取り付けない。
【０１１３】
表２．
表２の実施例１〜８は、本発明に従って配合される。
【０１１４】
【表２】
2016520698.tif 000008
【０１１５】
表３．
表３の実施例９〜１６は、本発明に従って配合される。実施例１７は、本発明によって選択されたものではない２つの非イオン性界面活性剤を含む比較例である（例えば、両方の非イオン性界面活性剤のＨＬＢ値が１０を超える）。実施例１７の粘度は、本発明による組成物の粘度よりも低い。
【０１１６】
【表３】
2016520698.tif 000009
＊トランス−硫酸化エトキシル化ヘキサメチレンジアミン第四級物（ＢＡＳＦ（Ｌｕｄｗｉｇｓｈａｆｅｎ，Ｇｅｒｍａｎｙ）から販売）
【０１１７】
表４．
表４の実施例１８〜２０は比較例である。
【０１１８】
【表４】
2016520698.tif 000010
【０１１９】
本明細書に開示される寸法及び値は、列挙された正確な数値に厳しく制限されるものとして理解されるべきではない。むしろ、特に断らない限り、そのような寸法のそれぞれは、記載された値及びその値の周辺の機能的に同等の範囲の両方を意味するものとする。例えば、「４０ｍｍ」と開示された寸法は、「約４０ｍｍ」を意味することを意図している。
【０１２０】
あらゆる相互参照又は関連特許若しくは特許出願を含む、本明細書に引用される文献はすべて、明白に除外又は限定されている場合を除いて、本明細書中にその全容を援用するものである。いかなる文献の引用も、それが本明細書において開示されているか若しくは特許請求の範囲に記載されているいずれかの発明に関する先行技術であることを認めるものではなく、あるいはそれが単独で又は他のいかなる参考文献（単数若しくは複数）とのいかなる組み合わせにおいても、かかる発明を教示する、提案する、又は開示することを認めるものではない。更に、本文書での用語の任意の意味又は定義の範囲が、参照により組み込まれた文書中の同様の用語の任意の意味又は定義と矛盾する場合には、本文書中で用語に割り当てられる意味又は定義に準拠するものとする。
【０１２１】
本発明の特定の態様について説明し記載したが、本発明の趣旨及び範囲から逸脱することなく他の様々な変更及び修正が可能であることが当業者には自明である。したがって、本発明の範囲内に含まれるそのような全ての変更及び修正は、添付の特許請求の範囲にて網羅することを意図したものである。
【国際調査報告】
2016520698.tif 000011
2016520698.tif 000012
2016520698.tif 000013